(57)【特許請求の範囲】
【請求項１】
グリップ、ほぼ円筒状のアイロン部を構成するバレル、および前記バレルに対して離接できるように揺動可能なクリップを有するヘアーアイロンであって、前記バレルの少なくとも一部が、底部基板と、該底部基板に幅方向に間隔を置いて配置され、該底部基板の外表面からバレル外周まで延びるとともに、前記アイロン部の長手方向全長に亘って延び、外周端面が該バレルの表面の一部を形成する複数のフィンと、長手方向に間隔を置いて複数設けられ、該フィンとフィンとの間の空間内にマイナスイオンを放出するイオン放出ピンとを備えたマイナスイオン発生構成部で構成され、バレル外周におけるイオン放出ピンの両側のフィンとフィンとの間の間隙全体がマイナスイオンを該ヘアーアイロン外部へ放出する放出開口となっており、前記バレルの前記クリップが接する面に、バレルの長手方向に延び、バレル表面から突出するコームが設けられており、前記クリップには前記コームが挿通する開口が設けられていることを特徴とするヘアーアイロン。
【請求項２】
前記開口がスリット状である請求項１のヘアーアイロン。
【請求項３】
前記マイナスイオン発生構成部が前記バレルの基部から頭部近傍まで延びている請求項１または２のヘアーアイロン。
【請求項４】
前記バレルが、一方が他方に対して離接できるように揺動可能な細長い下側バレル半部と上側バレル半部半部で構成され、前記クリップ板は、前記上側バレル半部に対して離接できるようになっており、前記下側バレル半部および上側バレル半部のそれぞれの接合面は、両者協働して毛髪のためのストレーター機能を発揮するためのものであり、一方、前記下側バレル半部および上側バレル半部のそれぞれの外周面は、両者協働して毛髪のためのカール機能を発揮するためのものであり、前記マイナスイオン発生構成部が、前記下側バレル半部に設けられている請求項１〜３のいずれかのヘアーアイロン。
【請求項５】
前記マイナスイオン発生構成部が、前記下側バレル半部に複数設けられている請求項４のヘアーアイロン。
【請求項６】
前記下側バレル半部と上側バレル半部半部の高さが、同じである請求項４または５のヘアーアイロン。
【請求項７】
バレル内にスチーム発生手段が設けられており、前記バレルの前記クリップが接する面にスチームを発する開口が設けられている請求項１〜６のいずれかのヘアーアイロン。
【発明の詳細な説明】
【技術分野】
【０００１】
本発明は、ヘアーアイロンに関し、さらに詳細には、マイナスイオン発生手段を備えたヘアーアイロンに関するものである。
【背景技術】
【０００２】
マイナスイオンは、空気を清浄にして、身体をリラックスさせるなどの効果があるといわれている。また、多量のマイナスイオンは、髪に当てれば、髪の損傷を抑えるとともに、髪をサラサラにしてセットをやりやすくすると同時に、セットの持ちも良くなるなどの効果があると言われている。
【０００３】
マイナスイオン発生部を備えたヘアーアイロンとしては、特開２００３−２７５０１３号公報に開示されたものが知られている。
【０００４】
このヘアーアイロンは、髪を巻き付ける発熱面を周囲に形成した円筒形の発熱部と直列に棒状のハンドルを設けたもので、前記棒状のハンドル内には高電圧発生手段とその高電圧発生手段に接続された放電電極を備えている。また、その放電電極で発生したマイナスイオンは、前記ハンドルに設けた放出口（一箇所）から発熱部に向けて放出するようになっている。
【特許文献１】特開２００３−２７５０１３号公報
【０００５】
しかしながら、上記のヘアーアイロンでは、ハンドル部分に設けた一箇所の放出口からマイナスイオンを放出するようにしているので、例えば、髪を伸ばすために発熱面で髪を梳かすようにすれば髪全体にマイナスイオンを行き渡らせることができるが、発熱面に髪を巻き付けてカールをする場合は、放出口からのマイナスイオンの大部分は、巻き付けた外側の髪の、しかも、その髪の表面にしか当たらない。そのため、熱のダメージを最も受ける発熱面に直接巻き付けられた一番内側の髪にまで十分にマイナスイオンを行き渡らせることのできない問題がある。
【０００６】
そこで、特開２００６−２０４３６９号公報では、例えば、髪をカールしたり、髪を梳かしたりする場合に係わらず、髪に十分にマイナスイオンを行き渡らせることができるようにしたヘアーアイロンが提案された。
【特許文献２】特開２００６−２０４３６９号公報
【０００７】
この公報に開示されたヘアーアイロンは、髪を巻き付ける発熱面を周囲に形成した金属製で円筒形の発熱部と直列に設けた棒状のハンドル内に、高電圧発生手段を備えるとともに、前記高電圧発生手段のグランド出力を前記発熱部の円筒と接続し、一方、高電圧発生手段の高電圧出力と接続した針状の電極を発熱部の円筒内に配置して円筒の内周と対向させて配置し、その円筒内に配置した針電極の針先と対向する円筒の発熱面に複数のスリットあるいは貫通孔を設けたものである。
【０００８】
このような構成を採用したことにより、高電圧発生手段のグランド出力と接続した発熱部の円筒と、高電圧発生手段の高電圧出力と接続した針電極とで放電電極を形成する。その際、グランド極に円筒を用いるようにしたので電極を簡略化できる。このとき、発生したマイナスイオンは、円筒に設けた複数のスリットや貫通孔から放出されるので、例えば、梳かすように使用した場合を始め、髪を発熱面に巻き付けた場合でも（巻き付けた髪の内側から外側へとマイナスイオンが広がるので）髪全体にマイナスイオンを行き渡らせることができる。
【０００９】
しかしながら、上記の構成では、円筒に毛髪を巻き付けたときに、その毛髪が上記のスリットまたは貫通孔を塞いでしまい、マイナスイオンの放出が十分でなかった。
【発明の概要】
【発明が解決しようとする課題】
【００１０】
そこで、本発明は、マイナスイオンの放出を十分に行い、マイナスイオンを効率よく毛髪に行き渡らせることのできる構造をもつヘアーアイロンを提供することを目的とする。
【課題を解決するための手段】
【００１１】
上記目的は、以下（１）〜（７）の構成の本発明によるヘアーアイロンによって解決される。
（１）
グリップ、ほぼ円筒状のアイロン部を構成するバレル、および前記バレルに対して離接できるように揺動可能なクリップを有するヘアーアイロンであって、前記バレルの少なくとも一部が、底部基板と、該底部基板に幅方向に間隔を置いて配置され、該底部基板の外表面からバレル外周まで延びるとともに、前記アイロン部の長手方向全長に亘って延び、外周端面が該バレルの表面の一部を形成する複数のフィンと、長手方向に間隔を置いて複数設けられ、該フィンとフィンとの間の空間内にマイナスイオンを放出するイオン放出ピンとを備えたマイナスイオン発生構成部で構成され、バレル外周におけるイオン放出ピンの両側のフィンとフィンとの間の間隙全体がマイナスイオンを該ヘアーアイロン外部へ放出する放出開口となっており、前記バレルの前記クリップが接する面に、バレルの長手方向に延び、バレル表面から突出するコームが設けられており、前記クリップには前記コームが挿通する開口が設けられていることを特徴とするヘアーアイロン。
（２）
前記開口がスリット状である上記（１）のヘアーアイロン。
（３）
前記マイナスイオン発生構成部が前記バレルの基部から頭部近傍まで延びている上記（１）または（２）のヘアーアイロン。
（４）
前記バレルが、一方が他方に対して離接できるように揺動可能な細長い下側バレル半部と上側バレル半部半部で構成され、前記クリップ板は、前記上側バレル半部に対して離接できるようになっており、前記下側バレル半部および上側バレル半部のそれぞれの接合面は、両者協働して毛髪のためのストレーター機能を発揮するためのものであり、一方、前記下側バレル半部および上側バレル半部のそれぞれの外周面は、両者協働して毛髪のためのカール機能を発揮するためのものであり、前記マイナスイオン発生構成部が、前記下側バレル半部に設けられている上記（１）〜（３）のいずれかのヘアーアイロン。
（５）
前記マイナスイオン発生構成部が、前記下側バレル半部に複数設けられている上記（４）のヘアーアイロン。
（６）
前記下側バレル半部と上側バレル半部半部の高さが、同じである上記（４）または（５）のヘアーアイロン。
（７）
バレル内にスチーム発生手段が設けられており、前記バレルの前記クリップが接する面にスチームを発する開口が設けられている上記（１）〜（６）のいずれかのヘアーアイロン。
【発明の効果】
【００１２】
本発明のヘアーアイロンにおいては、上記のように、バレルの少なくとも一部が、底部基板と、該底部基板に幅方向に間隔を置いて配置され、該底部基板の外表面からバレル外周まで延びるとともに、バレル長手方向に延びる複数のフィンと、長手方向に間隔を置いて複数設けられ、該フィンとフィンとの間の空間内にマイナスイオンを放出するイオン放出ピンとを備えたマイナスイオン発生構成部で構成されていることから、フィンとフィンとの間の長い空間（長溝）に沿って拡散し毛髪に十分にマイナスイオンを行き渡らせることができる。また、バレルに毛髪が巻かれても、イオン放出部が塞がらず、マイナスイオンが上記長い空間（長溝）に沿って放出されるので、常に広範囲にマイナスイオンが放出できるようになった。
【図面の簡単な説明】
【００１３】
【図１】本発明の実施の形態によるヘアーアイロンの外観斜視図である。
【図２】図１の線Ａ−Ａに沿う断面図である。
【図３】図１の線Ｂ−Ｂに沿う断面図である。
【図４】特にマイナスイオン発生装置の主要部を示す図である。
【図５】図１に示したヘアーアイロンにおけるマイナスイオンの広がり状態を説明するための図である。
【図６】図１に示したヘアーアイロンにおけるマイナスイオンの広がり状態を説明するための図である。
【図７】図１に示したヘアーアイロンにおいて、毛髪を巻いたときのマイナスイオンの放出を説明するための断面図である。
【図８】本発明の他の実施の形態によるヘアーアイロンの斜視図である。
【図９】クリップを閉じた状態で示したヘアーアイロンの斜視図である。
【図１０】クリップを開いた状態で示したヘアーアイロンの斜視図である。
【図１１】コームが無い場合のヘアーアイロンにおける毛髪の状態を示す図である。
【図１２】コームがある本発明の実施の形態における毛髪の状態を示す図である。
【発明を実施するための形態】
【００１４】
以下、添付図面を参照しつつ、本発明の実施の態様によるヘアーアイロンについて説明する。
【００１５】
本発明の実施の態様によるヘアーアイロン１０は、グリップ１２、このグリップの先端に取り付けられた下側バレル半部１４、およびこの下側バレル半部１４に後端側で揺動可能に取り付けられた上側バレル半部１６を備えている。この下側バレル半部１４と上側バレル半部１６でアイロン部を構成するバレル１８をなす。図示していないが、少なくとも上側バレル半部には、熱源およびスチーム発生手段が設けられている。前記下側バレル半部１４および上側バレル半部１６は、互いに接合した接合位置（図１参照）と、一方が他方に対して揺動して、互いに離れた離間位置（図示せず）とを取ることができる。上記上側バレル半部１６は、上記接合位置（図１参照）を取るようバネ（図示せず）によって常時下側バレル半部１４側に付勢されている。
【００１６】
上記前記下側バレル半部１４および上側バレル半部１６のそれぞれの接合面（図示せず）は、両者協働して毛髪のためのストレーター機能（毛髪をストレートにする機能）を発揮するためのものであり、一方、前記下側バレル半部１４および上側バレル半部１６のそれぞれの外周面２２、２４は、両者協働して毛髪のためのカール機能（毛髪にカールを付ける機能）を発揮するためのものである。図示していないが、通常の発熱体が、上側バレル半部１６に設けられているが、下側バレル半部１４にも設けられていてもよい。なお、本実施の形態おいては、前記下側バレル半部と上側バレル半部の高さが同じであり、ストレーター機能を発揮する接合面の面積が最大になるので、ストレーター機能が向上する。
【００１７】
前記下側バレル半部１４の後端側には、前記上側バレル半部１６の外周面２４に沿って湾曲して延びる細長いクリップ板２６が、揺動可能に取り付けられ、前記上側バレル半部１６の外周面２４に対して離接可能になっている。このクリップ板２８は、バネ（図示せず）により前記上側バレル半部１６の外周面２４方向に常時付勢されている。このクリップ板２６の後端には、該クリップ板２６を上記バネの付勢力に抗して前記上側バレル半部１６の外周面２４から離す方向に揺動させるためのレバー２８が一体的に形成されている。
【００１８】
前記下側バレル半部１４は、金属特にアルミニウム合金で形成され、図２に示したように、バレルの長手方向に該バレルのほぼ全長に亘って延びる骨格材３０、および合成樹脂（例えばナイロン等の断熱性の良いものが好ましい）で形成され、前記骨格材３０の全体に沿って延びる第１および第２バレルバー３２、３４を備えている。
【００１９】
前記骨格材３０は、中央の垂直部３６と、この垂直部３６の上端に形成され、前記下側バレル半部１４の接合面を構成する第１水平部３８と、前記垂直部３６の下端に形成され、該下側バレル半部１４の外周面２２の一部を構成する第２水平部４０を有している。
【００２０】
前記第１および第２バレルバー３２、３４は、それぞれ前記骨格材３０の垂直部３６の両側と第１水平部３８と第２水平部４０で囲まれた空間に上記配置されており、横断面形状はほぼ台形をしている。前記第１および第２バレルバー３２、３４の外方部分は、底部基板３３、３５と、この底部基板３３、３５の幅方向に間隔を置いて配置され、該底部基板の外表面からバレル外周まで延びるとともに、バレルの前記アイロン部長手方向全長に亘って延びる複数のフィン４２、４４とから構成されている。
【００２１】
ヘアーアイロン１０は、マイナスイオン発生装置を備えている。このマイナスイオン発生装置は、前記第１および第２バレルバー３２、３４に埋設され、それぞれ該バレルバーに沿ってほぼ水平に延びる細長い第１および第２イオン放電板４６、４８（図４参照）を有している。これらの第１および第２イオン放電板４６、４８の外方を向いた面には、それぞれ間隔を置いて配置され、バレル外方に向いたマイナスイオン放出用の複数の針状突起５０、５２が設けられている。これらの針状突起は、一枚のイオン放電板について、図示したように４個程度設けることが好ましい。
【００２２】
前記第１および第２バレルバー３２、３４の底部基板３８、４０の少なくとも前記針状突起５０、５２が配置された部分には、図２に示されているように、複数のフィン４２、４４の間の空間５４、５６に連通した開口（図には示されていないが、四角い形状をしている）が設けられており、その開口に針状突起５０、５２の先端が突出している。これにより、針状突起５０、５２から放出されたマイナスイオンは、該開口を介して複数のフィン４２、４４の間の空間５４、５６に導かれ、この空間内をバレル長手方向に拡散しつつヘアーアイロン外部に放出される。各フィン４２、４４の外周端面は、バレル（この実施の態様では、バレルの一部を構成する第２バレルバー３４）の表面の一部を形成する。従って、バレル外周におけるフィンとフィンとの間の間隙全体がマイナスイオンを該ヘアーアイロン外部へ放出する放出開口となっている。すなわち、空間５４、５６全体が、ヘアーアイロン外部に開放している。その結果、一つの針状突起５０、５２から放出されたマイナスイオンの広がりは、図５に示したように、従来のバレル外壁に放出孔開けられたものの場合（一点鎖線で示した）に比べて、本件の場合（実線で示した）の方が格段に広くなっている。
【００２３】
それにより、全体的に見ても、図６に示したように、マイナスイオンが拡がる。また、図７に示したように、毛髪を巻いた場合でも、放出口が塞がれず、空間（溝）に沿ってマイナスイオンの放出が拡大されるので、マイナスイオンが十分に毛髪に行き渡る。
【００２４】
なお、上記した例では、バレルを半部に分割したものについて説明したが、図８に示したように、分割されていない形態であっても良い。
【００２５】
本発明の実施の形態によるヘアーアイロン１０には、図に示したように、前記バレルの前記クリップが接する面に、バレルの長手方向に延び、バレル表面から突出するリブ５８ａからなるコーム５８が設けられており、前記クリップ２６には前記コーム２６が挿通する長円状の開口６０が設けられている。この開口６０により、クリップ２６はコーム５８を挿通してバレルに接することができる。図９にクリップ２６が閉じた状態、図１０にクリップ２６が開いた状態を示した。
また、本ヘアーアイロン１０には、バレル内にスチーム発生手段を設けて、前記バレルの前記クリップが接する面にスチームを発する開口６２を設けて、毛髪にスチームを当てるようにしても良い。これにより、マイナスイオンとスチームにより毛髪が更にしなやかになる。
【００２６】
通常、ロールを行うヘアーアイロンでは、まず髪押さえ板とバレルの間に、カールをつけようとする髪の束の先端をはさみ、アイロンを回転させながら、バレルに巻きつける行為を行う。このとき、図１１のような従来のコームのないヘアーアイロンにおいては、髪の束が不均一になっていると、バレルに巻かれる髪の束は、その髪の量によって挟まれる厚さが不ぞろいになってしまい、出来上がったカール自体も綺麗に出来ないことが起きる。当該ヘアーアイロンでは、図１２のように、バレル上にコームを設けたことによりまず、髪の束の先端を挟む前に、束の付け根から挟み、そのままアイロンを束に対して垂直にかつ、先端方向に引くことによって、髪の束をならし、その厚さも均一にすることができる。それにより、先端から髪を巻きつける際には、髪の束が均一になっているので、カール自体も綺麗にできるようになる。
又、コームの無いアイロンで同じように、髪の付け根から引いたとき、バレルと髪押さえの間にある髪の束が、十分に挟めず、カールする際に髪が抜け落ちてしまうことがある、しかし、当該コームのあるバレルでは、コームにより髪の先端を十分に挟むことができ、又、先端方向に引いていく際、その抵抗により髪に十分なテンションをあたえることができ、カール後の仕上がりを向上させることができる。
【符号の説明】
【００２７】
１０  ヘアーアイロン
１２  グリップ
１４  下側バレル半部
１６  上側バレル半部
１８  バレル
２２  外周面
２４  外周面
２６  クリップ
２８  レバー
３０  骨格材
３２  第１バレルバー
３３  底部基板
３４  第２バレルバー
３５  底部基板
３６  垂直部
３８  第１水平部
４０  第２水平部
４２  フィン
４４  フィン
４６  第１マイナスイオン放電板
４８  第２マイナスイオン放電板
５０  針状突起
５２  針状突起
５４  空間
５６  空間
【図１】
0005619394.tif 000002
【図２】
0005619394.tif 000003
【図３】
0005619394.tif 000004
【図４】
0005619394.tif 000005
【図５】
0005619394.tif 000006
【図６】
0005619394.tif 000007
【図７】
0005619394.tif 000008
【図８】
0005619394.tif 000009
【図９】
0005619394.tif 000010
【図１０】
0005619394.tif 000011
【図１１】
0005619394.tif 000012
【図１２】
0005619394.tif 000013